【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
ユーザのグループであるプロジェクトのメンバーに関し、各メンバーの所属との関係で定められる識別情報を取得する手段と、
前記識別情報間に対応する、それぞれの相違を定める値を取得する手段と、
前記取得した相違を定める値に基づき、所定の演算ルールに従って、前記取得した各メンバーの所属のばらつき度を演算する手段と、
を含み、
前記演算されたばらつき度が、プロジェクトの評価値の演算処理に供されることを特徴とするプロジェクト評価システム。
【請求項２】
ユーザのグループであるプロジェクトのメンバーに関し、各専門領域における専門の度合いによって表される専門性ベクトル情報と、それぞれの専門性ベクトル情報の間の距離を定める演算ルールとを取得する手段と
前記取得した専門性ベクトル情報と演算ルールとに基づいて、前記取得した各メンバーの所属のばらつき度を演算する手段と、
を含み、
前記演算されたばらつき度が、プロジェクトの評価値の演算処理に供されることを特徴とするプロジェクト評価システム。
【請求項３】
知的創造を複数の段階に分類する所定のコミュニケーションモデルに基づいて、前記各段階のコミュニケーションの特性を、メンバー間の交流、メンバー間の対話、作成又は入手されたドキュメント、の性状ないし量に基づいて特徴づけるルールを記憶する手段と、
メンバーを含む、複数のユーザが関係するプロジェクトについて、当該ユーザ間のコミュニケーションの発生時点を特定する情報を含むコミュニケーション履歴情報と、当該プロジェクトに関係するドキュメントに関する操作の発生時点を特定する情報を含むドキュメント履歴情報と、当該プロジェクトに関わらないユーザから当該プロジェクトに関係するドキュメントへのアクセスの発生時点を特定する情報を含むアクセス履歴情報と、をそれぞれ記録する記録システムと、
前記記録システムから注目プロジェクトに係る記録を収集する収集手段と、
前記収集手段により収集された記録と、前記記憶されているルールとに基づき、前記記録を、前記コミュニケーションモデルによって規定される段階に分割する手段と、
前記分割して得た各段階について、それぞれに費やした時間を取得し、当該取得した時間に基づいて、プロジェクトの評価値を演算する手段と、
を含むことを特徴とするプロジェクト評価システム。
【請求項４】
コンピュータに、
ユーザのグループであるプロジェクトのメンバーに関し、各メンバーの所属との関係で定められる識別情報を取得する手順と、
前記識別情報間に対応する、それぞれの相違を定める値を取得する手順と、
前記取得した相違を定める値に基づき、所定の演算ルールに従って、前記取得した各メンバーの所属のばらつき度を演算する手順と、
前記演算されたばらつき度に基づき、プロジェクトの評価値の演算処理を行う手順と、
を実行させることを特徴とするプロジェクト評価プログラム。
【手続補正２】
【補正対象書類名】明細書
【補正対象項目名】発明の名称
【補正方法】変更
【補正の内容】
【発明の名称】プロジェクト評価システム
【手続補正３】
【補正対象書類名】明細書
【補正対象項目名】０００１
【補正方法】変更
【補正の内容】
【０００１】
本発明は、プロジェクト評価システムに関する。
【手続補正４】
【補正対象書類名】明細書
【補正対象項目名】０００２
【補正方法】変更
【補正の内容】
【０００２】
近年、知識の共有や拡散といった問題が、多くの企業の関心事となってきている。こうした背景の下、ユーザグループ間での電子メールや電子掲示板、ドキュメントの管理といった処理を行うシステムが数多く開発されている。
【手続補正５】
【補正対象書類名】明細書
【補正対象項目名】０００３
【補正方法】変更
【補正の内容】
【０００３】
しかしながら、上記従来のシステムは、コミュニケーションやドキュメント管理に関する機能強化が進む一方で、知識が現実に各メンバーに吸収され、活用され、何らかの結果がでているかや、吸収から活用までの時間の短縮ができているかといった評価を提示するといったことは行われていないのが現状である。
【手続補正６】
【補正対象書類名】明細書
【補正対象項目名】０００４
【補正方法】変更
【補正の内容】
【０００４】
本発明は上記実情に鑑みて為されたもので、プロジェクトに関する評価を提示できるプロジェクト評価システムを提供することを、その目的の一つとする。
【手続補正７】
【補正対象書類名】明細書
【補正対象項目名】０００５
【補正方法】変更
【補正の内容】
【０００５】
上記従来例の問題点を解決するための本発明は、プロジェクト評価システムであって、ユーザのグループであるプロジェクトのメンバーに関し、各メンバーの所属との関係で定められる識別情報を取得する手段と、前記識別情報間に対応する、それぞれの相違を定める値を取得する手段と、前記取得した相違を定める値に基づき、所定の演算ルールに従って、前記取得した各メンバーの所属のばらつき度を演算する手段と、含み、前記演算されたばらつき度が、プロジェクトの評価値の演算処理に供されることを特徴としている。
【手続補正８】
【補正対象書類名】明細書
【補正対象項目名】０００６
【補正方法】変更
【補正の内容】
【０００６】
また、本発明の一態様に係るプロジェクト評価システムは、ユーザのグループであるプロジェクトのメンバーに関し、各専門領域における専門の度合いによって表される専門性ベクトル情報と、それぞれの専門性ベクトル情報の間の距離を定める演算ルールとを取得する手段と、前記取得した専門性ベクトル情報と演算ルールとに基づいて、前記取得した各メンバーの所属のばらつき度を演算する手段と、を含み、前記演算されたばらつき度が、プロジェクトの評価値の演算処理に供されることを特徴としている。
【手続補正９】
【補正対象書類名】明細書
【補正対象項目名】０００７
【補正方法】変更
【補正の内容】
【０００７】
さらに本発明の別の態様に係るプロジェクト評価システムは、知的創造を複数の段階に分類する所定のコミュニケーションモデルに基づいて、前記各段階のコミュニケーションの特性を、メンバー間の交流、メンバー間の対話、作成又は入手されたドキュメント、の性状ないし量に基づいて特徴づけるルールを記憶する手段と、メンバーを含む、複数のユーザが関係するプロジェクトについて、当該ユーザ間のコミュニケーションの発生時点を特定する情報を含むコミュニケーション履歴情報と、当該プロジェクトに関係するドキュメントに関する操作の発生時点を特定する情報を含むドキュメント履歴情報と、当該プロジェクトに関わらないユーザから当該プロジェクトに関係するドキュメントへのアクセスの発生時点を特定する情報を含むアクセス履歴情報と、をそれぞれ記録する記録システムと、前記記録システムから注目プロジェクトに係る記録を収集する収集手段と、前記収集手段により収集された記録と、前記記憶されているルールとに基づき、前記記録を、前記コミュニケーションモデルによって規定される段階に分割する手段と、前記分割して得た各段階について、それぞれに費やした時間を取得し、当該取得した時間に基づいて、プロジェクトの評価値を演算する手段と、を含むことを特徴としている。
【手続補正１０】
【補正対象書類名】明細書
【補正対象項目名】０００８
【補正方法】削除
【補正の内容】
【手続補正１１】
【補正対象書類名】明細書
【補正対象項目名】０００９
【補正方法】変更
【補正の内容】
【０００９】
さらに本発明の別の態様に係るプログラムは、コンピュータに、ユーザのグループであるプロジェクトのメンバーに関し、各メンバーの所属との関係で定められる識別情報を取得する手順と、前記識別情報間に対応する、それぞれの相違を定める値を取得する手順と、前記取得した相違を定める値に基づき、所定の演算ルールに従って、前記取得した各メンバーの所属のばらつき度を演算する手順と、前記演算されたばらつき度に基づき、プロジェクトの評価値の演算処理を行う手順と、を実行させることを特徴としている。
【手続補正１２】
【補正対象書類名】明細書
【補正対象項目名】００１４
【補正方法】変更
【補正の内容】
【００１４】
［システムの構成］
本発明の実施の形態に係るプロジェクト評価システムは、図１にその一例を示すように、サーバ１と、各ユーザが利用する複数のクライアント装置２とを含んで構成され、これらは互いにネットワークを介して接続されている。またサーバ１は、ユーザデータベース１１と、ドキュメントデータベース１２と、ログデータベース１３と、制御部１４と、記憶部１５と、通信部１６とを含んで構成される。なお、この例ではクライアント装置２は、一般的なパーソナルコンピュータで構わない。
【手続補正１３】
【補正対象書類名】明細書
【補正対象項目名】００７９
【補正方法】変更
【補正の内容】
【００７９】
［動作］
このように本実施の形態のプロジェクト評価システムによると、各ユーザの所属の情報を保持し、また、プロジェクトごとに、各プロジェクトに属するユーザをメンバーとして管理し、メンバー間又はプロジェクトのメンバー外のユーザとの間でのチャットや電子メールといったコミュニケーションを仲介し、当該プロジェクトにおいて生成されるアイディアシートやドキュメントを蓄積管理する。また、これらのコミュニケーションや、作成されたアイディアシートやドキュメントに関する履歴の情報（行われた日時や登録された日時を含む）を保持する。
【手続補正１４】
【補正対象書類名】明細書
【補正対象項目名】００８１
【補正方法】変更
【補正の内容】
【００８１】
【図１】本発明の実施の形態に係るプロジェクト評価システムの例を示す構成ブロック図である。
【図２】履歴情報の一例を表す説明図である。
【図３】ユーザの所属間の距離値の設定例を表す説明図である。
【図４】ユーザの所属間の距離値の設定の別の例を表す説明図である。
【図５】専門性ベクトル情報の例を表す説明図である。